(57)【特許請求の範囲】
【請求項１】
本体ケース内に、静電潜像の形成された感光体にトナーを供給してトナー画像を形成する現像ユニットと、前記感光体を一様に帯電させて前記現像ユニットでトナー画像が形成されて記録紙にトナー画像が転写された後、前記感光体に残留した未転写トナーをクリーニング部材で除去して当該除去した未転写トナーを前記本体ケース内に形成された廃トナーケース内に収納する感光体ユニットと、が収納されたオールインワンカートリッジにおいて、前記本体ケースの前記廃トナーケース部分に、前記本体ケースから所定量外方に突出する凸部の先端部分に把持部の取り付けられた取っ手が形成されており、前記凸部の先端部分に排出口が形成されており、前記凸部に前記廃トナーケースに連通するとともに前記排出口に連通して前記廃トナーケース内の前記未転写トナーを前記排出口から外部に排出させるトナー通路が形成されていることを特徴とするオールインワンカートリッジ。
【請求項２】
前記把持部は、前記排出口に着脱可能に嵌合する蓋部材を備え、当該蓋部材を前記排出口に嵌合する状態で前記凸部に着脱可能に取り付けられていることを特徴とする請求項１記載のオールインワンカートリッジ。
【請求項３】
前記取っ手の前記凸部は、所定角度傾斜して形成されていることを特徴とする請求項１または請求項２記載のオールインワンカートリッジ。
【発明の詳細な説明】
【０００１】
【発明の属する技術分野】
本発明は、オールインワンカートリッジに関し、詳細には、廃トナーケース内に回収した未転写トナーを飛散させることなく容易に排出して、作業性を向上させつつ再利用性を向上させたオールインワンカートリッジに関する。
【０００２】
【従来の技術】
電子写真方式の画像形成装置においては、近時、装置の小型化の要求から現像ユニットと感光体ユニットを一体化したオールインワンカートリッジが用いられるようになってきている。
【０００３】
このオールインワンカートリッジは、上述のように、現像ユニットと感光体ユニットを一体化したものであり、現像ユニットで感光体ユニットの感光体にトナーを供給して現像する。
【０００４】
すなわち、現像ユニットは、現像ローラ、補給ローラ、現像ブレード及びトナータンク等を備え、感光体ユニットは、感光体、帯電部材、クリーニング部材及び廃トナーケースを備えている。
【０００５】
現像ユニットは、トナータンク内に収納されているトナーを補給ローラにより現像ローラに供給し、現像ローラの表面上に付着したトナーを現像ブレードによりトナー量を一定に規制するとともにトナーを摩擦帯電させる。
【０００６】
感光体ユニットは、回転駆動される感光体の表面に帯電部材が接触しており、帯電部材により上記トナーの停電極性と同極性の電圧を印加して、感光体の表面を均一に帯電させる。この帯電した感光体は、その表面に露光部から画像で変調されたレーザー光が照射されて露光されて、静電潜像が形成され、静電潜像の形成された感光体表面に現像ユニットの現像ローラ上の帯電したトナーが電気的に転移して、感光体上にトナー画像が形成される。
【０００７】
感光体上に転移されたトナー画像は、記録紙を介して感光体表面に接触する転写部材に、トナーの帯電極性とは逆極性の電圧が印加されて、トナーが記録紙上に転写される。
【０００８】
記録紙上に転写されずに感光体上に残留した未転写トナーは、クリーニング部材により感光体表面上から掻き取られ、廃トナーとして廃トナーケースに収納される。
【０００９】
未転写トナーの除去された感光体は、再度帯電部材により帯電されて、画像形成に供される。
【００１０】
そして、従来、現像剤であるトナーが無くなると、オールインワンカートリッジ毎交換される。
【００１１】
ところが、近年、リサイクル化が叫ばれており、使用済みのオールインワンカートリッジは、そのまま廃棄することなく、オールインワンカートリッジを構成している部品や容器を清掃して、再利用するようになってきている。この再利用に際しては、廃トナーを廃トナーケースから取り出して、清掃する必要がある。この廃トナーケースから廃トナーを除去するためには、従来、オールインワンカートリッジから感光体、帯電部材及びクリーニング部材を順に取り外し、廃トナーケースから廃トナーを排出除去している。
【００１２】
【発明が解決しようとする課題】
しかしながら、このような従来のオールインワンカートリッジにあっては、廃トナーを廃トナーケースから除去するためには、オールインワンカートリッジから感光体、帯電部材及びクリーニング部材を順に取り外した後に、廃トナーケースから未転写トナーを除去する必要があり、作業性が悪いとともに、取り外し作業を行う際に廃トナーが飛散するおそれがあり、オールインワンカートリッジの再利用性を向上させる上で改良の必要があった。
【００１５】
請求項３記載の発明は、感光体に残留した未転写トナーが除去されて収納される本体ケースの廃トナーケース部分に、本体ケースから所定量外方に突出する凸部の先端部分に把持部の取り付けられた取っ手を形成し、当該凸部の先端部分に排出口を形成するとともに、廃トナーケースと排出口に連通して廃トナーケース内の未転写トナーを排出口から外部に排出させるトナー通路を凸部に形成することにより、排出口の先端をクリーニング部から可能な限り遠ざけて、使用時に排出口から未転写トナーが漏れることをより一層防止するとともに、使用済みのオールインワンカートリッジのリサイクル時に、感光体、帯電部材及びクリーニング部材等を取り外す前に、廃トナーケースから取っ手に形成したトナー通路を通過させて排出口から未転写トナーを飛散させることなく排出することができ、リサイクル工程を簡略化するとともに、トナー飛散を抑制して、作業性及び再利用性を向上させることのできるオールインワンカートリッジを提供することを目的としている。
【００１６】
請求項４記載の発明は、取っ手の把持部に、凸部に形成されている排出口に着脱可能に嵌合する蓋部材を設け、当該蓋部材を排出口に嵌合する状態で把持部を凸部に着脱可能に取り付けることにより、排出口の先端をクリーニング部から可能な限り遠ざけて、使用時に排出口から未転写トナーが漏れることをより一層防止するとともに、把持部を排出口の蓋を兼ね備えたものとしてオールインワンカートリッジを小型化するとともに部品点数を削減し、使用済みのオールインワンカートリッジのリサイクル時に、感光体、帯電部材及びクリーニング部材等を取り外す前に、廃トナーケースから取っ手に形成したトナー通路を通過させて排出口から未転写トナーを飛散させることなく排出することができ、リサイクル工程を簡略化するとともに、トナー飛散を抑制して、作業性及び再利用性を向上させることのできる安価で小型のオールインワンカートリッジを提供することを目的としている。
【００１７】
請求項５記載の発明は、取っ手の凸部を、所定角度傾斜させて形成することにより、未転写トナーを廃トナーケースから排出する際に、オールインワンカートリッジの倒す角度を小さくすることができ、より一層作業性を向上させることのできるオールインワンカートリッジを提供することを目的としている。
【００２３】
【課題を解決するための手段】
請求項１記載の発明のオールインワンカートリッジは、本体ケース内に、静電潜像の形成された感光体にトナーを供給してトナー画像を形成する現像ユニットと、前記感光体を一様に帯電させて前記現像ユニットでトナー画像が形成されて記録紙にトナー画像が転写された後、前記感光体に残留した未転写トナーをクリーニング部材で除去して当該除去した未転写トナーを前記本体ケース内に形成された廃トナーケース内に収納する感光体ユニットと、が収納されたオールインワンカートリッジにおいて、前記本体ケースの前記廃トナーケース部分に、前記本体ケースから所定量外方に突出する凸部の先端部分に把持部の取り付けられた取っ手が形成されており、前記凸部の先端部分に排出口が形成されており、前記凸部に前記廃トナーケースに連通するとともに前記排出口に連通して前記廃トナーケース内の前記未転写トナーを前記排出口から外部に排出させるトナー通路が形成されていることにより、上記目的を達成している。
【００２４】
上記構成によれば、感光体に残留した未転写トナーが除去されて収納される本体ケースの廃トナーケース部分に、本体ケースから所定量外方に突出する凸部の先端部分に把持部の取り付けられた取っ手を形成し、当該凸部の先端部分に排出口を形成するとともに、廃トナーケースと排出口に連通して廃トナーケース内の未転写トナーを排出口から外部に排出させるトナー通路を凸部に形成しているので、排出口の先端をクリーニング部から可能な限り遠ざけて、使用時に排出口から未転写トナーが漏れることをより一層防止することができるとともに、使用済みのオールインワンカートリッジのリサイクル時に、感光体、帯電部材及びクリーニング部材等を取り外す前に、廃トナーケースから取っ手に形成したトナー通路を通過させて排出口から未転写トナーを飛散させることなく排出することができ、リサイクル工程を簡略化するとともに、トナー飛散を抑制して、作業性及び再利用性を向上させることができる。
【００２５】
この場合、例えば、請求項２に記載するように、前記把持部は、前記排出口に着脱可能に嵌合する蓋部材を備え、当該蓋部材を前記排出口に嵌合する状態で前記凸部に着脱可能に取り付けられていてもよい。
【００２６】
上記構成によれば、取っ手の把持部に、凸部に形成されている排出口に着脱可能に嵌合する蓋部材を設け、当該蓋部材を排出口に嵌合する状態で把持部を凸部に着脱可能に取り付けているので、排出口の先端をクリーニング部から可能な限り遠ざけて、使用時に排出口から未転写トナーが漏れることをより一層防止することができるとともに、把持部を排出口の蓋を兼ね備えたものとしてオールインワンカートリッジの小型化と部品点数の削減を図って、オールインワンカートリッジを安価で小型のものとすることができ、また、使用済みのオールインワンカートリッジのリサイクル時に、感光体、帯電部材及びクリーニング部材等を取り外す前に、廃トナーケースから取っ手に形成したトナー通路を通過させて排出口から未転写トナーを飛散させることなく排出することができ、リサイクル工程を簡略化するとともに、トナー飛散を抑制して、作業性及び再利用性を向上させることができる。
【００２７】
また、例えば、請求項３に記載するように、前記取っ手の前記凸部は、所定角度傾斜して形成されていてもよい。
【００２８】
上記構成によれば、取っ手の凸部を、所定角度傾斜させて形成しているので、未転写トナーを廃トナーケースから排出する際に、オールインワンカートリッジの倒す角度を小さくすることができ、より一層作業性を向上させることができる。
【００３１】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００３２】
図１〜図３は、本発明のオールインワンカートリッジの第１の実施の形態を示す図であり、本実施の形態は、オールインワンカートリッジの廃トナーケースの上部に未転写トナーを排出するための排出口を形成したものである。
【００３３】
図１は、本発明のオールインワンカートリッジの第１の実施の形態を適用した電子写真式記録装置１の要部概略構成正面断面図である。
【００３４】
図１において、電子写真式記録装置１は、転写部２、定着部３、転写部２に記録紙４を１枚ずつ搬送する図示しない記録紙供給部、図示しない露光部及び図示しない操作部や制御部等を備えており、転写部２の上部にオールインワンカートリッジ１０が着脱可能に装着される。
【００３５】
オールインワンカートリッジ１０は、本体ケース１１に、現像ユニット２０と感光体ユニット３０が一体化されて構成されており、図１に示す点線部分でユニット現像ユニット２０（点線から右側）と感光体ユニット３０（点線から左側）とに機能的に分離されている。
【００３６】
現像ユニット２０は、現像ローラ２１、補給ローラ２２、現像ブレード２３及びトナータンク２４等を備え、感光体ユニット３０は、感光体３１、帯電部材３２、クリーニング部材３３及び廃トナーケース３４等を備えている。
【００３７】
現像ユニット２０は、その現像ユニット２０側の本体ケース１１に形成されたトナータンク２４内にトナー（図示略）が収納されており、現像ローラ２１と補給ローラ２２は、本体ケース１１内に近接して配設されている。補給ローラ２２は、図１に矢印で示す方向（反時計方向）に回転して、トナータンク２４内のトナーを、反時計方向に回転する現像ローラ２１に供給し、現像ブレード２３は、現像ローラ２１に近接して配設されて、現像ローラ２１の表面に付着したトナーを一定量に規制するとともにトナーを摩擦帯電させる。
【００３８】
この現像ローラ２１に近接して感光体ユニット３０の感光体３１が配設されており、感光体３１は、図１に矢印で示すように、時計方向に回転駆動される。感光体３１は、回転に伴って、図１に矢印で示す時計方向に回転する帯電部材３２により上記帯電トナーの帯電極性と同極性の電圧が帯電されて、その表面が一様に帯電され、一様に帯電されて回転する感光体３１の表面に、図示しない露光部から画像で変調されたレーザー光Ｌが照射されて、静電潜像が形成される。
【００３９】
静電潜像の形成され感光体３１が上記現像ローラ２１と対向する位置に回転してくると、現像ローラ２１に付着しているトナーが感光体３１表面に電気的に転写され、感光体３１表面にトナー画像が形成される。
【００４０】
感光体３１と近接する位置には、電子写真式記録装置１の転写部２が配設されており、転写部２と感光体３１との間に記録紙給紙部から記録紙４が搬送されてくる。記録紙４は、トナー画像の形成された感光体３１が転写部２に回転してくるタイミングに合わせて感光体３１と転写部２との間に搬送され、転写部２にトナーの帯電極性と逆極性の電圧が印加されて記録紙４がトナーの帯電極性と逆極性に帯電されることで、感光体１上のトナーが記録紙４に転写される。
【００４１】
感光体３１には、記録紙４に転写されずに残留した未転写トナーが残留しており、転写の完了した感光体３１は、さらに回転してクリーニング部材３３により感光体３１表面に残留している未転写トナーが除去される。クリーニング部材３３により感光体３１の表面から除去された未転写トナーは、本体ケース１１内に形成された廃トナーケース３４内に収納される。
【００４２】
未転写トナーの除去された感光体３１は、さらに回転して帯電部材３２により一様に帯電され、再度画像形成に供される。
【００４３】
電子写真式記録装置１は、トナー画像の転写された記録紙４を、定着部３に搬送し、定着部３で加熱・加圧して記録紙４上のトナー画像を記録紙４に定着させた後、図示しない記録紙トレイ上に排出する。
【００４４】
オールインワンカートリッジ１０の本体ケース１１の廃トナーケース３４側の上部には、取っ手１２が形成されており、取っ手１２は、オールインワンカートリッジ１０を取り扱う際に利用される。取っ手１２は、本体ケース１１から所定量突出する一対の凸部１２ａと、一対の凸部１２ａ間に張り渡されてオペレータが把持する部分である把持部１２ｂと、を備えている。
【００４５】
また、本体ケース１１の廃トナーケース３４の上部には、図２に示すように、２個の排出口１３ａ、１３ｂが形成されており、排出口１３ａ、１３ｂは、本体ケース１１の外部と廃トナーケース３４とを連通している。この排出口１３ａ、１３ｂには、オールインワンカートリッジ１０の使用中に廃トナーケース３４内の未転写トナーが本体ケース１１の外部に漏れるのを防止する蓋１４ａ、１４ｂが着脱可能に取り付けられている。
【００４６】
さらに、本体ケース１１の廃トナーケース３４内の排出口１３ａ、１３ｂの周囲には、図３に示すように、排出口１３ａ、１３ｂが下方に向けられた際に、それぞれ排出口１３ａ、１３ｂに向かって徐々に下降する方向に傾斜した凹状の傾斜面１５ａ、１５ｂが形成されており、傾斜面１５ａ、１５ｂは、廃トナーケース３４内の未転写トナーを排出するために排出口１３ａ、１３ｂが下方に向けられた際に、廃トナーケース３４内の未転写トナーを排出口１３ａ、１３ｂに効率的に流す。
【００４７】
次に、本実施の形態の作用を説明する。本実施の形態の電子写真式記録装置１は、そのオールインワンカートリッジ１０の廃トナーケース３４部分に排出口１３ａ、１３ｂが形成されており、廃トナーケース３４内の未転写トナーを排出口１３ａ、１３ｂから容易に排出できるところにその特徴がある。
【００４８】
すなわち、電子写真式記録装置１は、オールインワンカートリッジ１０が着脱可能に装着され、オールインワンカートリッジ１０は、トナータンク２４内のトナーを補給ローラ２２により現像ローラ２１に供給して、現像ブレード２３でトナーを一定量に規制して感光体３１に供給する。
【００４９】
感光体３１は、回転しながら帯電部材３２で一様に帯電された後、図示しない露光部からのレーザー光により静電潜像が形成され、静電潜像の形成された感光体３１表面に、現像ローラ２１からトナーが電気的に転写されて感光体３１表面にトナー画像が形成される。
【００５０】
トナー画像の形成された感光体３１は、転写部２に回転されると、転写部２と感光体３１との間に搬送されてきた記録紙４に、転写部２にトナーの帯電極性と逆極性の電圧が印加されて記録紙４がトナーの帯電極性と逆極性に帯電されることで、感光体１上のトナーが転写される。
【００５１】
電子写真式記録装置１は、トナー画像の転写された記録紙４を、定着部３に搬送し、定着部３で加熱・加圧して記録紙４上のトナー画像を記録紙４に定着させた後、図示しない記録紙トレイ上に排出する。
【００５２】
また、転写の完了した感光体３１は、さらに回転してクリーニング部材３３により感光体３１表面に転写されずに残留している未転写トナーが除去され、クリーニング部材３３により感光体３１の表面から除去された未転写トナーは、本体ケース１１内に形成された廃トナーケース３４内に収納される。
【００５３】
未転写トナーの除去された感光体３１は、さらに回転して帯電部材３２により一様に帯電され、再度画像形成に供される。
【００５４】
オールインワンカートリッジ１０は、このように画像形成に用いられて、トナータンク２４内のトナーが消費され、廃トナーケース３４内に感光体３１上から除去された未転写トナー（廃トナー）が収納される。そして、オールインワンカートリッジ１０は、トナータンク２４内のトナーが無くなると、電子写真式記録装置１から取り外されて新しいオールインワンカートリッジ１０と交換される。
【００５５】
取り外されたオールインワンカートリッジ１０は、廃トナーケース３４内の未転写トナーが排出されて、必要な部品の清掃や交換等が行われた後、再利用される。
【００５６】
この廃トナーケース３４内の未転写トナーの排出は、以下の手順で容易に行うことができる。すなわち、オールインワンカートリッジ１０をファクシミリ装置１から取り外し、本体ケース１１の排出口１３ａ、１３ｂに取り付けられている蓋１４ａ、１４ｂを取り外す。
【００５７】
蓋１４ａ、１４ｂを取り外した本体ケース１１を、未転写トナーを回収する回収容器上で回転させて、排出口１３ａ、１３ｂを下に向け、排出口１３ａ、１３ｂから廃トナーケース３４内の未転写トナーを排出させる。
【００５８】
したがって、従来のように、オールインワンカートリッジ１０から感光体３１、帯電部材３２及びクリーニング部材３３を順に取り外す前に、簡単かつ速やかに未転写トナーを廃トナーケース３内から排出することができるとともに、未転写トナーが飛散することを防止することができ、作業性を向上させることができるとともに、飛散トナーによる作業環境の悪化やオールインワンカートリッジ１０へのトナーの付着を防止することができる。
【００５９】
また、本体ケース１１の廃トナーケース３４内の排出口１３ａ、１３ｂの周囲には、図３に示したように、排出口１３ａ、１３ｂが下に向けられた際に、それぞれ排出口１３ａ、１３ｂに向かって徐々に下降する方向に傾斜した傾斜面１５ａ、１５ｂが形成されており、廃トナーケース３４内の未転写トナーを排出するために排出口１３ａ、１３ｂが下方に向けられた際に、廃トナーケース３４内の未転写トナーを、傾斜面１５ａ、１５ｂで排出口１３ａ、１３ｂに効率的に流すことができる。したがって、より一層作業効率を向上させることができる。
【００６０】
図４は、本発明のオールインワンカートリッジの第２の実施の形態を示す図であり、本実施の形態は、オールインワンカートリッジの取っ手部分に未転写トナーの排出口を形成したものである。
【００６１】
なお、本実施の形態は、上記第１の実施の形態のオールインワンカートリッジと同様のオールインワンカートリッジに適用したものであり、本実施の形態の説明においては、第１の実施の形態のオールインワンカートリッジと同様の構成部分には、同一の符号を付して、その詳細な説明を省略する。
【００６２】
図４において、オールインワンカートリッジ４０は、上記第１の実施の形態のオールインワンカートリッジ１０と同様に、電子写真式記録装置１に適用され、本体ケース４１に、図示しない現像ユニット２０と感光体ユニット３０が一体化されて構成されている。
【００６３】
感光体ユニット３０には、上記同様に、本体ケース４１内に、感光体３１、帯電部材３２、クリーニング部材３３及び廃トナーケース３４を備えており、本体ケース４１の廃トナーケース３４部分の上部には、取っ手４２が取り付けられている。
【００６４】
取っ手４２は、本体ケース４１から本体ケース４１の後方（図４の左斜め方向）に所定量だけ傾斜して突出した一対の凸部４３と、一対の凸部４３の先端部に一体的に、あるいは、連結される状態で形成された把持部４４と、を備えており、一対の凸部４３は、それぞれ内部に廃トナーケース３４に連通するトナー通路４３ａ（図４に波線で図示）が形成されているとともに、把持部４４との連結位置に、トナー通路４３ａを外部に連通する排出口４５が形成されている。
【００６５】
なお、図示しないが、この排出口４５には、廃トナーケース３４内の未転写トナーが本体ケース４１の外部に漏れるのを防止する蓋が着脱可能に取り付けられている。
【００６６】
本実施の形態のオールインワンカートリッジ４０は、廃トナーケース３４内の未転写トナーを排出する際には、オールインワンカートリッジ４０をファクシミリ装置１から取り外し、取っ手４２の排出口４５に取り付けられている蓋を取り外して、排出口４５を開放する。
【００６７】
蓋を取り外した本体ケース４１を、未転写トナーを回収する回収容器上で回転させて、排出口４５を下に向け、廃トナーケース３４内の未転写トナーを、凸部４３に形成されたトナー通路４３ａを通過させて、排出口４５から排出させる。
【００６８】
したがって、従来のように、オールインワンカートリッジ４０から感光体３１、帯電部材３２及びクリーニング部材３３を順に取り外す必要がなく、簡単かつ速やかに未転写トナーを廃トナーケース３４内から排出することができるとともに、未転写トナーが飛散することを防止することができ、作業性を向上させることができるとともに、飛散トナーによる作業環境の悪化やオールインワンカートリッジ４０へのトナーの付着を防止することができる。
【００６９】
また、排出口４５の形成されている凸部４３が、本体ケース４１の後方（図４の左斜め方向）に所定量だけ傾斜して形成されているので、未転写トナーを排出する際に、オールインワンカートリッジ４０を傾ける傾斜角度が少なくても適切に廃トナーケース３４内の未転写トナーを排出することができ、作業性をより一層向上させることができる。
【００７０】
さらに、排出口４５が凸部４３の先端部に形成されているので、廃トナーケース３４内の未転写トナーが排出口４５から漏れることをより一層防止することができる。
【００７１】
また、本体ケース１１の廃トナーケース３４内のトナー通路４３ａの周囲に、図３に示したような排出口４５が下向けられた際に、それぞれ排出口４５に向かって徐々に下降する方向に傾斜した凹状の傾斜面を形成すると、廃トナーケース３４内の未転写トナーを排出するために排出口４５が下方に向けられた際に、廃トナーケース３４内の未転写トナーを、当該傾斜面でトナー通路４３ａに効率的に流すことができ、より一層作業効率を向上させることができる。
【００７２】
図５は、本発明のオールインワンカートリッジの第３の実施の形態を示す図であり、本実施の形態は、オールインワンカートリッジの取っ手部分に未転写トナーの排出口を形成するとともに、取っ手の把持部を排出口の蓋と兼用したものである。
【００７３】
なお、本実施の形態は、上記第１の実施の形態のオールインワンカートリッジと同様のオールインワンカートリッジに適用したものであり、本実施の形態の説明においては、第１の実施の形態のオールインワンカートリッジと同様の構成部分には、同一の符号を付して、その詳細な説明を省略する。
【００７４】
図５において、オールインワンカートリッジ５０は、上記第１の実施の形態のオールインワンカートリッジ１０と同様に、電子写真式記録装置１に適用され、本体ケース５１に、図示しない現像ユニット２０と感光体ユニット３０が一体化されて構成されている。
【００７５】
感光体ユニット３０には、上記同様に、本体ケース５１内に、感光体３１、帯電部材３２、クリーニング部材３３及び廃トナーケース３４を備えており、本体ケース５１の廃トナーケース３４部分の上部には、取っ手５２が設けられている。
【００７６】
取っ手５２は、本体ケース５１から本体ケース４１の後方（図４の左斜め方向）に所定量だけ傾斜した状態で突出した一対の凸部５３と、凸部５３に着脱可能な把持部５４と、を備えており、一対の凸部５３は、それぞれ内部に廃トナーケース３４に連通するトナー通路５３ａ（図５に波線で図示）が形成されているとともに、把持部５４との連結位置に、トナー通路５３ａを外部に連通する排出口５５が形成されている。
【００７７】
把持部５４は、凸部５３の排出口５５に嵌合して、排出口５５を閉止するとともに、把持部５４を凸部５３に着脱可能に連結する嵌合蓋部５６が凸部５３の排出口５５に対向する位置に一対形成されており、嵌合蓋部５６を排出口５５に嵌合させることで、オールインワンカートリッジ５０を取り扱う際に握る把持部として機能する。
【００７８】
本実施の形態のオールインワンカートリッジ５０は、廃トナーケース３４内の未転写トナーを排出する際には、オールインワンカートリッジ５０をファクシミリ装置１から取り外し、取っ手５２の凸部５３の排出口５５に取り付けられている把持部５４を取り外して、排出口５５を開放する。
【００７９】
把持部５４を取り外した本体ケース５１を、未転写トナーを回収する回収容器上で回転させて、排出口５５を下に向け、廃トナーケース３４内の未転写トナーを、凸部５３に形成されたトナー通路５３ａを通過させて、排出口５５から排出させる。
【００８０】
したがって、従来のように、オールインワンカートリッジ５０から感光体３１、帯電部材３２及びクリーニング部材３３を順に取り外す必要がなく、簡単かつ速やかに未転写トナーを廃トナーケース３４内から排出することができるとともに、未転写トナーが飛散することを防止することができ、作業性を向上させることができるとともに、飛散トナーによる作業環境の悪化やオールインワンカートリッジ５０へのトナーの付着を防止することができる。
【００８１】
また、把持部５４が嵌合蓋部５６を備えて、凸部５３の排出口５５の蓋と把持機構を兼ね備えているので、オールインワンカートリッジ５０を小型化することができるとともに、部品点数を削減することができ、オールインワンカートリッジ５０を安価なものとすることができる。
【００８２】
さらに、排出口５５の形成されている凸部５３が、本体ケース５１の後方（図５の左斜め方向）に所定量だけ傾斜して形成されているので、未転写トナーを排出する際に、オールインワンカートリッジ５０を傾ける傾斜角度が少なくても適切に廃トナーケース３４内の未転写トナーを排出することができ、作業性をより一層向上させることができる。
【００８３】
また、排出口５５が凸部５３の先端部に形成されているので、廃トナーケース３４内の未転写トナーが排出口５５から漏れることをより一層防止することができる。
【００８４】
さらに、本体ケース５１の廃トナーケース３４内のトナー通路５３ａの周囲に、図３に示したような排出口５５が下向けられた際に、それぞれトナー通路５３ａの廃トナーケース３４への開口部に向かって徐々に下降する方向に傾斜した傾斜面を形成すると、廃トナーケース３４内の未転写トナーを排出するために排出口５５が下方に向けられた際に、廃トナーケース３４内の未転写トナーを、当該傾斜面でトナー通路５３ａに効率的に流すことができ、より一層作業効率を向上させることができる。
【００８５】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００８８】
【発明の効果】
請求項１記載の発明のオールインワンカートリッジによれば、感光体に残留した未転写トナーが除去されて収納される本体ケースの廃トナーケース部分に、本体ケースから所定量外方に突出する凸部の先端部分に把持部の取り付けられた取っ手を形成し、当該凸部の先端部分に排出口を形成するとともに、廃トナーケースと排出口に連通して廃トナーケース内の未転写トナーを排出口から外部に排出させるトナー通路を凸部に形成しているので、排出口の先端をクリーニング部から可能な限り遠ざけて、使用時に排出口から未転写トナーが漏れることをより一層防止することができるとともに、使用済みのオールインワンカートリッジのリサイクル時に、感光体、帯電部材及びクリーニング部材等を取り外す前に、廃トナーケースから取っ手に形成したトナー通路を通過させて排出口から未転写トナーを飛散させることなく排出することができ、リサイクル工程を簡略化するとともに、トナー飛散を抑制して、作業性及び再利用性を向上させることができる。
【００８９】
請求項２記載の発明のオールインワンカートリッジによれば、取っ手の把持部に、凸部に形成されている排出口に着脱可能に嵌合する蓋部材を設け、当該蓋部材を排出口に嵌合する状態で把持部を凸部に着脱可能に取り付けているので、排出口の先端をクリーニング部から可能な限り遠ざけて、使用時に排出口から未転写トナーが漏れることをより一層防止することができるとともに、把持部を排出口の蓋を兼ね備えたものとしてオールインワンカートリッジの小型化と部品点数の削減を図って、オールインワンカートリッジを安価で小型のものとすることができ、また、使用済みのオールインワンカートリッジのリサイクル時に、感光体、帯電部材及びクリーニング部材等を取り外す前に、廃トナーケースから取っ手に形成したトナー通路を通過させて排出口から未転写トナーを飛散させることなく排出することができ、リサイクル工程を簡略化するとともに、トナー飛散を抑制して、作業性及び再利用性を向上させることができる。
【００９０】
請求項３記載の発明のオールインワンカートリッジによれば、取っ手の凸部を、所定角度傾斜させて形成しているので、未転写トナーを廃トナーケースから排出する際に、オールインワンカートリッジの倒す角度を小さくすることができ、より一層作業性を向上させることができる。
【図面の簡単な説明】
【図１】本発明のオールインワンカートリッジの第１の実施の形態のオールインワンカートリッジを適用した電子写真式記録装置の要部概略構成正面断面図。
【図２】図１のオールインワンカートリッジの感光体ユニット部分の拡大斜視図。
【図３】図１のオールインワンカートリッジの廃トナーケースの内部の排出口部分の拡大斜視図。
【図４】本発明のオールインワンカートリッジの第２の実施の形態のオールインワンカートリッジの感光体ユニット部分の斜視図。
【図５】本発明のオールインワンカートリッジの第３の実施の形態のオールインワンカートリッジの感光体ユニット部分の部分分解斜視図。
【符号の説明】
１  電子写真式記録装置
２  転写部
３  定着部
４  記録紙
１０  オールインワンカートリッジ
１１  本体ケース
１２  取っ手
１２ａ  凸部
１２ｂ  把持部
１３ａ、１３ｂ  排出口
１４ａ、１４ｂ  蓋
１５ａ、１５ｂ  傾斜面
２０  現像ユニット
２１  現像ローラ
２２  補給ローラ
２３  現像ブレード
２４  トナータンク
３０  感光体ユニット
３１  感光体
３２  帯電部材
３３  クリーニング部材
３４  廃トナーケース
４０  オールインワンカートリッジ
４１  本体ケース
４２  取っ手
４３  凸部
４３ａ  トナー通路
４４  把持部
４５  排出口
５０  オールインワンカートリッジ
５１  本体ケース
５２  取っ手
５３  凸部
５３ａ  トナー通路
５４  把持部
５５  排出口
５６  嵌合蓋部
【図１】
0004028666.tif 000002
【図２】
0004028666.tif 000003
【図３】
0004028666.tif 000004
【図４】
0004028666.tif 000005
【図５】
0004028666.tif 000006